(57)【要約】  ユーザテキスト情報に基づく情報を提供するステップと、上記ユーザテキスト情報が空又は無効なら画面上に予め設定されたメッセージを表示し、さもなければ表示時間の間、上記画面上に上記ユーザテキスト情報を表示するステップと、を含み、上記表示時間は、上記ユーザテキスト情報の量及び／又は複雑さに依存する、画面上で情報を表示する方法。【選択図】図１
2010523069.tif 000002
【特許請求の範囲】
【請求項１】
ユーザテキスト情報に基づく情報を提供するステップと、
前記ユーザテキスト情報が空又は無効なら画面上に予め設定されたメッセージを表示し、
さもなければ、前記画面上に表示時間の間前記ユーザテキスト情報を表示するステップと、
を含み、
前記表示時間は、前記ユーザテキスト情報の量及び／又は複雑さに依存する、画面上で情報を表示する方法。
【請求項２】
前記ユーザテキスト情報の量は、前記ユーザテキスト情報の複数の文字又は単語を決定することによって決定される、請求項１に記載の方法。
【請求項３】
前記ユーザテキスト情報の複雑さは、前記ユーザテキスト情報を表示するために必要な複数のライン及び／又は複数の画素を決定することによって決定される、請求項１に記載の方法。
【請求項４】
前記表示時間は、予め設定された時間帯と、前記ユーザテキスト情報の量及び／又は複雑さに依存する可変時間帯と、を加えることによって決定される、請求項１〜３のいずれか１項に記載の方法。
【請求項５】
前記可変時間帯は、タイムファクター及び前記文字数を乗ずることによって決定される、請求項４に記載の方法。
【請求項６】
前記予め設定されたメッセージは、前記予め設定された時間帯に正確に表示される、請求項１〜５のいずれか１項に記載の方法。
【請求項７】
前記画面上で現在表示されているテレビプログラムが決定され、
前記情報は、前記テレビプログラムを記述している、請求項１〜６のいずれか１項に記載の方法。
【請求項８】
前記文字数が予め設定された閾値以下であるなら、前記表示時間は、予め設定された時間帯にセットされ、
前記文字数が前記予め設定された閾値以上であるなら、表示時間は、前記予め設定された時間帯と、前記文字数及び予め設定されたタイムファクターの積と、を加えることによって決定される、請求項２又は３に記載の方法。
【請求項９】
前記予め設定されたメッセージは、ヘッダーライン及び残存部分を有するボックスを含み、
前記ヘッダーラインは、技術情報を表示するために利用される、請求項１〜８のいずれか１項に記載の方法。
【請求項１０】
前記ユーザテキスト情報が、空又は無効でないなら、前記予め設定されたメッセージが前記ユーザテキスト情報と共に表示され、
前記ユーザテキスト情報は、前記残存部分に表示される、請求項９に記載の方法。
【請求項１１】
前記予め設定されたメッセージ及び／又は前記ユーザテキスト情報は、ボックスの中に又はボックスとして表示され、
前記ボックスのサイズは、前記予め設定されたメッセージ及びユーザテキスト情報夫々の前記量及び／又は複雑さに依存する、請求項１〜１０のいずれか１項に記載の方法。
【請求項１２】
前記予め設定されたメッセージは、画像及び／又はテキストメッセージに対応する、請求項１〜１１のいずれか１項に記載の方法。
【請求項１３】
前記画面は、テレビ画面である、請求項１〜１２のいずれか１項に記載の方法。
【請求項１４】
前記ユーザテキスト情報は、電子プログラムガイド（ＥＰＧ）情報の短い情報又は長い情報に対応する、請求項１〜１３のいずれか１項に記載の方法。
【請求項１５】
テレビプログラム及び／又はユーザ情報を表示するように構成される画面と、
前記テレビプログラム又はテレビジョン受像機の操作メニューに関するユーザテキスト情報を受信するように構成される情報受信機構と、
前記ユーザテキスト情報が空又は無効であるなら、前記画面上に予め設定されたメッセージを表示し、
さもなければ、前記画面上に表示時間の間前記ユーザテキスト情報を表示し、
前記画面を制御するように構成される画面制御機構と、
を備え、
前記表示時間は、前記情報の量及び／又は複雑さに依存する、テレビジョン受像機。
【請求項１６】
前記ユーザテキスト情報は、家庭用電化製品制御（ＣＥＣ）基準に従い、前記情報受信機構に提供される、請求項１５に記載のテレビジョン受像機。
【請求項１７】
前記テレビプログラムを切り替えるように構成される切替機構を備え、
前記テレビプログラムに切り替えることで、前記情報受信機構は前記ユーザテキスト情報を受信する、請求項１５又は１６に記載のテレビジョン受像機。
【請求項１８】
テレビプログラムにチューニングするように構成されるテレビチューニング機構と、
テレビプログラム又は操作メニューに関する情報を受信するように構成される情報受信機構と、
前記情報受信機構によって受信される情報がないか又は無効であるなら、前記テレビジョン受像機の画面上に予め設定されたメッセージを表示し、
さもなければ、前記画面上に前記情報を表示時間の間表示し、
テレビジョン受像機の出力信号を生成するように構成される信号処理機構と、
を備え、
前記表示時間は、前記情報の量及び／又は複雑さに依存する、装置。
【請求項１９】
前記テレビプログラムを切り替えるように構成される切替機構を備え、
前記テレビプログラムに切り替えることで、前記情報受信機構が前記情報を受信し、前記出力信号が前記情報を前記画面上に表示する、請求項１８に記載の装置。
【請求項２０】
切り替えることで、前記情報受信機構は、外部サーバから前記情報を要求及び受信する、請求項１９に記載の装置。
【請求項２１】
ユーザテキスト情報が空又は無効であるなら、前記画面上に予め設定されたメッセージを表示し、
さもなければ、前記画面上に前記ユーザテキスト情報を表示時間の間表示するステップを含み、
前記表示時間は、前記情報の量及び／又は複雑さに依存する、情報を表示する方法を、コンピュータに実行させるコンピュータプログラム命令を含む、コンピュータ可読媒体。
【請求項２２】
情報がユーザテキスト情報を含まないなら、前記画面上に予め設定されたメッセージを表示し、
さもなければ、前記画面上に前記ユーザテキスト情報を表示時間の間表示するステップを含み、
前記表示時間は、前記ユーザテキスト情報の量及び／又は複雑さに依存し、
画面上に、前記ユーザテキスト情報を含んでいたり、又は含んでいなかったりする情報を表示する方法。
【請求項２３】
情報がユーザテキスト情報を含まないなら、前記画面上に予め設定されたメッセージを表示し、
さもなければ、前記画面上に前記ユーザテキスト情報を所定時間帯表示するステップを含み、
前記所定時間帯は、前記ユーザテキスト情報の量及び／又は複雑さに依存し、
テレビ画面上に、サーバから受信され、前記テレビ画面上にユーザによって視聴されるテレビプログラムに関連する情報を表示する方法。
【請求項２４】
情報がユーザテキスト情報を含まないなら、画面上に予め設定されたメッセージを時間帯Ａに表示し、
さもなければ、前記画面上に前記ユーザテキスト情報を表示時間の間表示するステップを含み、
前記表示時間は、前記時間帯Ａと前記ユーザテキスト情報及び予め設定されたタイムファクターの積とを加えることによって決定され、
画面上に、前記ユーザテキスト情報を含んでいたり、又は含んでいなかったりする情報を表示する方法。
【請求項２５】
ユーザテキスト情報を含んでいたり、又は含んでいなかったりする情報を表示するように構成される画面と、
前記情報がユーザテキスト情報を含まないなら、前記画面上に予め設定されたメッセージを表示し、
さもなければ、前記画面上に前記ユーザテキスト情報を表示時間の間表示し、
前記画面を制御するように構成される画面制御機構と、
を備え、
前記表示時間は、前記ユーザテキスト情報の量及び／又は複雑さに依存する、テレビジョン受像機。
【請求項２６】
少なくとも一つのテレビプログラムに関する情報を提供するように構成されるサーバと、
テレビプログラムにチューニングするように構成されるテレビチューニング機構と、
前記サーバから前記テレビプログラムに関する情報を受信するように構成される情報受信機構と、
前記情報受信機構によって受信される情報がないか又は無効であるなら、前記テレビジョン受像機の画面上に予め設定されたメッセージを表示し、
さもなければ、前記画面上に前記情報を表示時間の間表示する、出力信号を生成するように構成される信号処理機構と、
を備え
前記表示時間は、前記ユーザテキスト情報の量及び／又は複雑さに依存する、システム
【発明の詳細な説明】
【技術分野】
【０００１】
本発明は、情報を表示する方法及び装置と、情報を表示するシステムとに関する。
【背景技術】
【０００２】
今日、表示画面（ＯＳＤ）は、人気が出てきており、ユーザに様々な情報を提供するためにカムコーダ、デジタル多用途ディスク（ＤＶＤ）レコーダ等に対して幅広く使用されている。例えば、ＯＳＤ情報は、ユーザにテレビ受像機のメニューを案内するために利用される。また、ＯＳＤは、所定のテレビプログラムについて、ユーザに情報を表示するために利用されてもよい。
【発明の概要】
【発明が解決しようとする課題】
【０００３】
本発明の目的とするところは、改良された方式で情報を表示する方法及び装置を提供することにある。
【課題を解決するための手段】
【０００４】
この目的は、請求項１及び請求項１１に係る方法及び装置によって、夫々解決される。更に、本発明の詳細は、図面の考察及び次の説明から明確なものとなる。
【図面の簡単な説明】
【０００５】
【図１】情報を表示する方法の一実施形態を示す。
【図２】情報を表示する方法の他の実施形態を示す。
【図３】情報を表示する装置の一実施形態を示す。
【図４】情報を表示する装置の他の実施形態を示す。
【図５】テレビジョン受像機で情報を表示するシステムの一実施形態を示す。
【図６】放送局がテレビ信号を提供し、テレビジョン受像機で情報を表示するシステムの一実施形態を示す。
【図７】予め設定されたメッセージが表示され、ユーザテキスト情報が利用可能であるなら、当該ユーザテキスト情報が上記予め設定されたメッセージの一部に表示される、一実施形態を示す。
【発明を実施するための形態】
【０００６】
以下に、本発明の実施形態について説明する。重要なこととして、以下に説明する全ての実施形態は、どのような方法で組み合わされてもよく、すなわち、説明する特定の実施形態については、他と組み合わせてはならないという限定はないということについては、留意すべきである。
【０００７】
本発明の一実施形態によれば、情報を表示する方法は、上記情報を提供するステップを含み、上記情報は、ユーザテキスト情報に基づく。ユーザテキスト情報は、例えば、多様なものであり、及び／又はユーザによって現在視聴されているテレビプログラム及び／又はメニュー等に関連していてもよい。上記方法は、上記ユーザテキスト情報が空もしくは無効であるならば、更に、予め設定されたメッセージを画面上に表示するステップを、さもなければ、上記ユーザテキスト情報を表示時間の間上記画面上に表示するステップを含んでいてもよく、上記表示時間は、ユーザテキスト情報の量及び／又は複雑性に依存する。予め設定されたメッセージは、第１の表示時間の間表示されていてもよく、ユーザテキスト情報は第２の表示時間の間表示されていてもよく、上記第１及び第２の表示時間は、共にゼロではないか、消滅しないものである。また、上記方法は、上記情報が、ユーザテキスト情報を含んでいるか否かをチェックするステップを含んでいてもよく、上記チェックするステップに基づいて、ユーザテキスト情報が、空／無効であるか又は、空／無効でないか、すなわち、ユーザテキスト情報が、現在視聴されているテレビプログラム及び／又は例えば、ＶＣＲ、ＤＶＤレコーダ、ハードディスクレコーダ等のような装置のメニューの情報に関する情報等をユーザに表示することが意図される情報を含んでいるかどうかが決定される。予め設定されたメッセージ及び／又はユーザテキスト情報を表示するステップは、表示画面（ＯＳＤ）形式で行われてもよく、すなわち、現在視聴されるテレビプログラムは、予め設定されるメッセージ／ユーザテキスト情報の背景としえ示されてもよい。また、予め設定されたメッセージ及び／又はユーザテキスト情報は、半透明に表示されてもよい。
【０００８】
上述から明確なように、本発明の説明される実施形態によれば、メッセージは、どのような場合においても、すなわち、利用可能なユーザテキスト情報がなくても画面上に表示されてもよい。この場合、予め設定されたメッセージが表示される。ユーザテキスト情報が利用可能であるならば、ユーザテキスト情報は表示時間の間画面上に表示される。他の実施形態によれば、ユーザテキスト情報の量が、例えば、多かったり、複雑であったり、重要であったりするのならば、次いで表示時間は、少ない量のユーザテキスト情報より長い時間に設定されてもよい。このように、上記のユーザテキスト情報の量が多い、複雑、及び／又は重要であるならば、ユーザは、ユーザテキスト情報を読み取るための十分な時間を有していてもよい。一方で、ユーザテキスト情報の量が少ない、単純である、又は重要でないならば、ユーザは、ユーザテキスト情報を読み取るために長い時間を必要としなくてもよく、ユーザテキスト情報は、短い時間の間のみ表示される。このようにして、ユーザは、表示されるメッセージで長い時間悩まされることはなくなる。このようにして、ユーザは、テレビプログラムをより速く、すなわち、長い中断なく視聴し続けてもよい。すなわち、ユーザテキスト情報が短いのなら、放送しているテレビプログラムは、短時間の間のみ阻害され、ユーザテキスト情報が長ければ、ユーザは、ユーザテキスト情報を読み取るのに十分な時間を有していてもよい。
【０００９】
本発明の他の実施形態によれば、ユーザテキスト情報の量は、上記ユーザテキスト情報の多数の文字又は多数の単語を決定することによって決定されてもよい。更に、表示時間は、予め設定された、例えば、固定時間及びユーザテキスト情報の量及び／又は複雑さに依存する様々な時間を付加することによって決定されてもよい。このように、表示時間は、以下の式に従い決定されてもよい。
【００１０】
タイムアウト  ＝  ベースタイムアウト  ＋  表示される文字の数  ×  タイムファクター
【００１１】
タイムアウト  ＝  ユーザテキスト情報が表示されるミリ秒の数、すなわち  メッセージ（予め設定メッセージ又はユーザテキスト情報）が消えるまで待つべきミリ秒の数、
ベースタイムアウト  ＝  利用可能な情報がなくても、すなわち、ユーザテキスト情報が空又は無効であるとしても、少なくとも待つべきミリ秒の数、
表示される文字の数  ＝  ユーザテキスト情報の文字の数、
タイムファクター  ＝  文字毎に待つべきミリ秒の数。
【００１２】
合理的な値として、ベースタイムアウト  ＝  １０００ミリ秒であり、タイムファクター  ＝  ７０ミリ秒／文字であってもよい。
【００１３】
他の実施形態によれば、付加的に、ユーザテキスト情報の多数の単語を考慮に入れる、すなわち上記ユーザテキスト情報の多数の単語を決定することによってユーザテキスト情報の数を決定することは可能である。このように、ベースタイムに様々な時間は、タイムファクター、すなわち表示時間ファクター、及び文字の数又は単語の数を乗ずることによって決定されてもよい。
【００１４】
更なる実施形態によれば、ユーザテキスト情報の複雑さは、ユーザテキスト情報を表示するために必要とされる多数のライン及び／又は多数の画素を決定することによって決定されてもよい。例えば、ユーザテキスト情報は、テレビジョン受像機内に表示されてもよく、ユーザテキスト情報の複雑さは、テレビジョン受像機の画素の数に依存して決定される。
【００１５】
更なる実施形態によれば、予め設定されたメッセージは、予め設定された時間の間、正確に表示されてもよい。
このように、この実施形態に従い、ユーザテキスト情報が利用されなくても、メッセージは、少なくとも決定された時間の間表示される。一方で、ユーザテキスト情報が利用可能であれば、表示時間は、ユーザテキスト情報の量及び／又は複雑さに従い延長される。
【００１６】
また、更なる実施形態によれば、上記方法は、現在画面上に表示されているテレビプログラムを決定するステップ及び情報を受信するステップを含んでいてもよく、上記情報はテレビプログラムを記述している。ユーザのテレビジョン受像機のチャンネルを変え、新しいプログラムを視聴し始めるなら、これは、有用なものとなるだろう。この場合に、例えば、新しいテレビプログラムの記述が、画面上にユーザに表示されてもよい。このように、ユーザは、テレビプログラムについての情報を得る。上記情報は、サーバ、セットトップボックス、又はＤＶＤレコーダから受信されてもよい。上記情報は、例えば、ＴＶ信号と同じチャンネルを介して受信されてもよい。このように、情報は、テレビジョン受像機や、セットトップボックスや、例えば、ハードディスクレコーダ又はデジタル多用途ディスクレコーダ（ＤＶＤレコーダ）といった記録装置によって受信されるテレビ信号に含まれてもよい。
【００１７】
更なる実施形態によれば、上記文字数が予め設定された閾値以下であるならば、上記表示時間は、予め設定された時間にセットされてもよく、上記文字数が予め設定された閾値以上であるならば、上記表示時間は、予め設定された時間と、文字数及び予め設定されたタイムファクターの積とを加えることによって決定されてもよい。このように、本実施形態では、利用可能な情報がほとんどないのならば、メッセージは、予め設定された、例えば、固定された時間の間、表示されてもよい。一方で、予め設定された閾値を超える多数の情報が利用可能であるなら、テキストは、ユーザテキストを全て読み取るために十分長い時間の間表示されてもよい。
【００１８】
更なる実施形態によれば、予め設定されたメッセージは、ヘッダーライン及び残存部分を有するボックスを含んでいてもよく、上記ヘッダーラインは、例えば、プログラム番号、プロバイダ名、音響システム（モノ／ステレオ／サラウンド）等のような一般的及び／又は技術的情報を表示するために利用されてもよい。
【００１９】
更に、上記ユーザテキスト情報が空又は無効でないなら、予め設定されたメッセージは、ユーザテキスト情報と共に同時間表示されてもよく、上記ユーザテキスト情報は、残存部分に表示される。このように、ユーザテキスト情報が空又は無効なら、ヘッダーラインを有するボックスが表示され、残存部分は空のままであり、ユーザテキスト情報が空または無効でないなら、ユーザテキスト情報は、ボックスの残存部分に表示される。
【００２０】
予め設定されたメッセージ及び／又はユーザテキスト情報が、ボックスに表示されてもよく、ボックスのサイズは予め設定されたメッセージ及びユーザテキスト情報の量及び／又は複雑さの夫々に依存する。ボックスのサイズを変えることによって、ユーザは、必要な程度だけ阻害されてもよい。現在視聴されているテレビプログラムは、必要な程度だけ阻害されてもよい。
【００２１】
更なる実施形態によれば、予め設定されたメッセージは、図形的な要素及び／又はテキストメッセージに対応していてもよい。テキストメッセージは、例えば、現在利用可能なユーザテキスト情報がないということを指し示してもよい。例えば、ユーザが現在視聴されているテレビプログラムの記述がなされることを期待するなら、予め設定されたテキストメッセージは、“利用可能なプログラム情報はない”と表示してもよい。このようにして、予め設定されたメッセージが表示されるので、ユーザは利用可能な情報はないということに気づいてもよい。
【００２２】
更なる実施形態によれば、ユーザテキスト情報は、電子プログラムガイド（ＥＰＧ）の短い情報又は長い情報に対応していてもよい。一般的に、電子プログラムガイドは、異なる２種類のプログラム情報、すなわち、短い情報及び長い情報を有する。短い情報は、一行の予め設定されたプログラムの記述に対応して、長い情報は、現在又は予め設定されたプログラムのより長い記述であってもよい。長い情報は、数百〜千文字含んでいてもよく、数ページに渡っていてもよい。
【００２３】
本発明の更なる実施形態によれば、テレビジョン受像機は、テレビプログラム又はテレビチャンネル又は動画及び／又はユーザ情報を表示するように構成される画面を備えていてもよい。テレビジョン受像機は、更に、テレビプログラム又はテレビジョン受像機の操作メニューに関する情報を受信するように構成される情報受信機構を備えていてもよい。更に、テレビジョン受像機は、画面を制御するように構成される画面制御機構を備えていてもよく、情報受信機構によって受信される情報がないか無効であるならば、画面制御機構は予め設定されたメッセージを画面上に表示させ、さもなければ、上記画面制御機構は上記情報を上記画面上に表示時間の間表示させ、上記表示時間は情報の量及び／又は複雑さに依存する。
【００２４】
更なる実施形態によれば、ユーザテキスト情報は、家庭用電化製品制御（ＣＥＣ）基準に従い、情報受信機構に提供されてもよい。更に、表示される情報は、ＤＶＤ再生／録画装置、ブルーレイディスクプレーヤ／レコーダ、ハードディスク、ＤＶＤレコーダ／プレーヤ等によって提供されてもよい。ＣＥＣ基準に従い、現在は非常に短いメッセージのみが再生装置からテレビジョン受像機に転送されてもよい。しかし、将来は、より大きいテキストメッセージを送信することが可能になるだろう。テレビジョン受像機がＣＥＣ基準に基づいてユーザテキスト情報を受信する場合、テレビジョン受像機は、ユーザテキスト情報に基づいて予め設定されたメッセージ及び／又は表示時間を生成してもよい。すなわち、本実施形態によれば、セットトップボックスは、単純にユーザテキスト情報をテレビジョン受像機に送信してもよく、テレビジョン受像機はユーザテキスト情報の表示を管理する。つまり、ユーザテキスト情報が空又は無効なら、予め設定されたメッセージは画面上に表示され、さもなければ、ユーザテキスト情報は表示時間の間画面上に表示され、表示時間はセットトップボックスによって提供されるユーザテキスト情報の量及び／又は複雑さに依存する。
【００２５】
また、テレビジョン受像機は、テレビプログラムを切り替えるように構成される切替機構を含んでいてもよく、テレビプログラムに切り替えることで、情報受信機構はテレビプログラムに関連する情報を受信して、上記画面制御機構は上記情報を画面上に表示させる。本実施形態によれば、ユーザが新しいチャンネル又は新しいテレビプログラムに切り替えるならば、テレビジョン受像機の画面上に、新しいテレビプログラムを説明するユーザテキスト情報が表示されてもよい。
【００２６】
本発明の更なる実施形態によれば、テレビ付属品又は装置、セットトップボックス、記録装置、受信機、チューナ等の装置は、テレビプログラムをチューニングするように構成されるテレビチューニング機構と、装置のテレビプログラム又は操作メニューに関する情報を受信するように構成される情報受信機構と、テレビジョン受像機の出力信号を生成するように構成される信号処理機構とを備え、情報受信機構によって受信される情報がないか無効であるならば、出力信号は予め設定されたメッセージをテレビジョン受像機の画面に表示させ、さもなければ、出力信号は、表示時間の間情報を表示させ、表示時間は情報の量及び／又は複雑さに依存する。
【００２７】
更なる実施形態によれば、装置は、テレビプログラムを切り替えるように構成される切替機構を備えていてもよく、テレビプログラムに切り替えることで、情報受信機構は情報を受信して、出力信号は情報を画面上に表示させる。
【００２８】
情報受信機構は、切り替え操作が行われた際に、外部サーバから情報を要求及び受信してもよい。すなわち、本実施形態によれば、ユーザがチャンネル／テレビプログラムを切り替えれば、情報は送信されることのみを必要としてもよい。
【００２９】
ユーザテキスト情報を含んでいたり、又は含んでいなかったりする情報を画面上に表示する方法は、情報がユーザテキスト情報を含んでいないなら、予め設定されたメッセージを画面上に表示して、さもなければ、表示時間の間上記画面上に上記ユーザテキスト情報を表示するステップを含み、表示時間は、ユーザテキスト情報の量及び／又は複雑さに依存する。
【００３０】
更に、テレビ画面上に情報を表示する方法が提供されてもよく、上記情報はサーバから受信され、ユーザによって現在視聴されるテレビプログラムに関連し、上記方法は、情報がユーザテキスト情報を含んでいないなら、予め設定されたメッセージを画面上に表示して、さもなければ、所定の時間帯上記画面上に上記ユーザテキスト情報を表示するステップを含み、上記所定の時間帯は、ユーザテキスト情報の量及び／又は複雑さに依存する。
【００３１】
更に、画面上に情報を表示する方法が提供されてもよく、上記情報はユーザテキスト情報を含んでいたり、又は含んでいなかったりし、上記方法は、上記情報がユーザテキスト情報を含んでいないなら、正確に時間帯Ａの間予め設定されたメッセージを画面上に表示して、さもなければ、表示時間の間上記画面上に上記ユーザテキスト情報を表示するステップを含み、上記表示時間は、上記時間帯Ａと、上記ユーザテキスト情報の文字数及び予め設定されたタイムファクターの積とを加えることによって決定される。
【００３２】
更に、テレビジョン受像機が提供されてもよく、ユーザテキスト情報を含んでいたり、又は含んでいなかったりする情報を表示するように構成される画面と、画面を制御するように構成される画面制御機構とを備え、画面制御機構は、上記情報がユーザテキスト情報を含んでいないなら、予め設定されたメッセージを画面上に表示して、さもなければ、表示時間の間画面上に上記ユーザテキスト情報を表示して、表示時間は、ユーザテキスト情報の量及び／又は複雑さに依存する。
【００３３】
更に、システムが提供されてもよく、少なくとも一つのテレビプログラムに関する情報を提供するように構成されるサーバと、上記サーバからテレビ信号及び／又はプログラム情報を受信する受信装置とを備える。上記受信装置は、テレビプログラム、テレビチャンネル、又は動画にチューニングするように構成されるテレビチューニング機構と、上記サーバから上記テレビプログラムに関する情報を受信するように構成される情報受信機構と、テレビジョン受像機の出力信号を生成するように構成される信号処理機構とを備え、情報受信機構によって受信される情報が空又は無効なら、出力信号は予め設定されたメッセージをテレビジョン受像機の画面上に表示し、さもなければ、上記出力信号は情報を表示時間の間画面上に表示し、表示時間は情報の量及び／又は複雑さに依存する。
【００３４】
図１は、本発明の一実施形態に係るステップを示す。ステップＳ１００では、情報が提供される。情報は、例えば、テレビプログラムに関するユーザテキスト情報を含む。ステップＳ１０２では、ユーザテキスト情報が空なのか、又は空ではないのかがチェックされる。ステップＳ１０２−Ｂでは、上記ユーザテキスト情報が空なら、予め設定されたメッセージが画面上に表示される。予め設定されたメッセージは、“利用可能な情報はない”と表示してもよい。
【００３５】
ステップＳ１０２−Ａでは、ユーザテキスト情報が空ではないか、又は無効ではないならば、すなわち、利用可能なユーザテキスト情報があるならば、ユーザテキスト情報が表示時間の間画面上に表示される。表示時間は、ユーザテキスト情報の量及び／又は複雑さに依存する。このように、多くの利用可能なユーザテキスト情報があれば、ユーザテキスト情報は、ユーザにとってユーザテキスト情報を読み取るために十分長い時間の間表示される。一方で、利用可能なユーザテキストがないならば、予め設定されたメッセージは、短い時間の間だけ表示されてもよい。それにもかかわらず、夫々の場合において、メッセージが表示される。
【００３６】
図２は、情報を表示する方法の他の実施形態を示す。提供するステップＳ２００で、情報が提供される。情報は、ユーザテキスト情報を含む。ステップＳ２０２では、ユーザテキスト情報の量が、例えば、ユーザテキスト情報の文字又は単語の数に基づいて決定される。ステップＳ２０４では、ユーザテキスト情報が空であるか、ユーザテキスト情報が表示されるテキストをふくんでいるかどうか、すなわち、ステップＳ２０２で決定された量が０文字より大きいか否かがチェックされる。Ｓ２０６では、ユーザテキスト情報が表示されるテキストを含んでいるなら、すなわち、ユーザテキスト情報の量が０より大きいなら、表示時間が決定される。表示時間は、ユーザテキスト情報の量に基づいて決定されてもよい。表示時間は、以下の式に従い算出されてもよい。
【００３７】
タイムアウト  ＝  ベースタイムアウト  ＋  表示される文字の数  ×  タイムファクター
【００３８】
タイムアウト  ＝  ユーザテキスト情報が表示されるミリ秒の数、
ベースタイムアウト  ＝  利用可能な情報がなくても、少なくとも待つべきミリ秒の数、
表示される文字の数  ＝  ユーザテキスト情報の文字の数、
タイムファクター  ＝  文字毎に待つミリ秒の数
【００３９】
他の実施形態によれば、表示時間は以下の式に従い決定されてもよい。
【００４０】
タイムアウト
ベースタイムアウト：利用可能な情報がない、又は文字の数＜閾値
ベースタイムアウト＋文字の数×タイムファクター：文字の数≧閾値
【００４１】
上記式の一つによって決定されるタイムアウトの値は、表示時間を意味し、すなわち、ユーザのテキスト情報又は予め設定されるメッセージは、タイムアウトの値によって設定される時間帯に表示される。
【００４２】
次いで、ステップＳ２０８では、ユーザテキスト情報は、決定された表示時間の間表示される。
【００４３】
一方で、ステップＳ２０４では、ユーザテキスト情報が空又は無効である、すなわち、ユーザテキスト情報の量が０に等しいと決定され、次いで、予め設定されたメッセージは、ステップＳ２１０で表示される。予め設定されたメッセージは、予め設定された時間帯に表示されてもよい。
【００４４】
図３は、アンテナケーブルに接続されたテレビジョン受像機３００を示す。テレビジョン受像機３００は、画面３０２と、画面制御機構３０４と、情報受信機構３０６とを備える。画面は、アンテナケーブル３０８を介して受信されるテレビプログラムを表示するように構成される。情報受信機構３０６は、現在視聴されているテレビプログラム又はテレビジョン受像機の操作メニューに関する情報を受信するように構成されてもよい。また、テレビプログラムに関する情報は、上記アンテナケーブル３０８を介して受信されてもよい。また、他の実施形態によれば、テレビプログラムに関する情報は、他のケーブル及び又は無線の接続を介して提供されてもよい（図３には示していない）。この場合、更に情報受信機構３０６と例えば、プログラム情報を提供する外部サーバとの間に、例えば、接続がある。
【００４５】
画面制御機構３０４は、情報受信機構３０６によって受信される情報を受信してもよく、画面を制御するように構成され、情報受信機構によって受信される情報がないか又は無効であるなら、画面制御機構３０４は、予め設定されたメッセージを画面上に表示してもよく、さもなければ、画面制御機構３０４は表示時間の間情報を表示してもよく、表示時間は情報の量及び／又は複雑さに依存してもよい。
【００４６】
図４は、テレビチューニング４０２と、情報受信機構４０４と、信号処理機構４０６とを備える記録装置４００を示す。記録装置４００は、アンテナケーブル４０８と、ケーブル４１０を介してテレビジョン受像機ＴＶとに接続される。記録装置４００は、テレビ信号を、ケーブル４００を介してテレビジョン受像機ＴＶに提供する。
【００４７】
テレビチューニング機構４０２はテレビプログラムにチューニングするように構成されてもよく、情報受信機構４０４はテレビプログラム又は記録装置４００の操作メニューに関する情報を受信するように構成されてもよい。信号処理機構４０６は、ケーブル４１０を介してテレビジョン受像機ＴＶに提供されるテレビ信号を生成するように構成されてもよい。情報受信機構４０４によって受信される情報がないか又は無効であるなら、出力信号は予め設定されたメッセージをテレビ画面上に表示し、さもなければ、出力信号は、表示時間の間情報を表示してもよく、表示時間は情報の量及び／又は複雑さに依存してもよい。
【００４８】
図５は、サーバ５００、セットトップボックス５０２、及びテレビジョン受像機５０４を有する本発明の一実施形態を示す。サーバ５００は、上記テレビジョン受像機５０４の画面に表示される情報を提供する。情報は、サーバ５００によってセットトップボックス５０２に連続的に提供されてもよく、又はテレビプログラムを切り替えることで、セットトップボックス５０２が、サーバ５００から情報を要求してもよい。すなわち、ユーザが、現在セットトップボックス５０２によってチューニングされているテレビプログラムを変えるなら、セットトップボックス５０２は、サーバ５００から新しいテレビプログラムに関する情報を要求してもよい。このように、チャンネルが切り替えられないなら、サーバ５００とセットトップボックス５０２との間の接続の帯域は浪費されない。
【００４９】
上述したように、セットトップボックス５０２は、テレビ信号をテレビジョン受像機５０４に提供してもよく、受信される情報がないか又は無効であるなら、テレビ信号は予め設定されたメッセージをテレビジョン受像機の画面上に表示し、さもなければ、出力信号は、表示時間の間情報を表示してもよく、表示時間は情報の量及び／又は複雑さに依存してもよい。テレビ信号は、映像信号内に表示されるメッセージを含んでいてもよく、又は表示されるメッセージは、テレビ信号に含まれる情報に基づいてテレビジョン受像機によって生成されてもよい。
【００５０】
図６は、サーバ６００、放送局６０２、セットトップボックス６０４、及びテレビジョン受像機６０６を備える本発明の一実施形態を示す。放送局６０２は、セットトップボックス６０４にテレビ信号６０８を送信する。テレビ信号６０８に基づいて、セットトップボックス６０４は、テレビジョン受像機６０６のテレビ信号を復号化及び生成する。セットトップボックス６０４は、ユーザに制御されてもよく、すなわち、ユーザはセットトップボックス６０４をあるテレビチャンネルにチューニングしてもよい。チャンネルに依存して、セットトップボックス６０４は、サーバ６００から選択したチャンネルで現在示されているテレビプログラムに関するプログラム情報を要求してもよい。新しいチャンネルに切り替えることで、セットトップボックス６０４は、サーバ６００から夫々のプログラム情報を要求及び受信してもよい。セットトップボックス６０４はサーバ６００から有効なプログラム情報を受信し、次いで、セットトップボックス６０４はプログラム情報を表示時間の間、テレビジョン受像機６０６の画面上に表示し、表示時間はプログラム情報の量及び／又は複雑さに依存する。これは、映像信号を修正することによって行われてもよく、すなわち、セットトップボックス６０４からテレビジョン受像機６０６に送信された映像信号は、プログラム情報を含んでいてもよい。さもなければ、プログラム情報がテレビジョン受像機６０６に送信されることと、テレビジョン受像機６０６がプログラム情報と、セットトップから受信した映像信号とを混合する、すなわち、テレビジョン受像機６０６がプログラム情報に現在示されている映像に混ぜ込むこととが可能である。
【００５１】
図７ａは、ヘッダーライン７０２及び残存部分７０４を含む予め設定されたメッセージ７００を示す。予め設定されたメッセージ７００はボックスの形態を有し、残存部分７０４は長方形の形態を有する。ヘッダーライン７０２では、技術的情報又は他のユーザ情報が表示されてもよい。図７ａの例において、ヘッダーライン７０２では、現在放送されているチャンネル（例ではＢＢＣ）及び時刻、例では１７：４４：４５、が表示される。
【００５２】
この予め設定されたメッセージ７００は、例えば、現在放送されているテレビプログラムのＢＢＣについての利用可能なユーザテキスト情報がないならば、表示されてもよい。このように、例えば、ユーザが予め設定された分の時間の間、チャンネルＢＢＣに切り替えるなら、予め設定されたメッセージ７００が示されてもよい。
【００５３】
図７ｂは、予め設定されたメッセージ７００を示し、上記の残存部分７０４では、ユーザのテキスト情報７０６が表示される。有効なテキスト情報が受信されたなら、ユーザテキスト情報７０６と、予め設定されたメッセージ７００とが、テレビ画面上に表示されてもよい。図７の例では、ユーザは、ちょうどチャンネルＣＮＮに切り替えたのかもしれない。このように、ヘッダーライン７０２では、夫々のチャンネル（ＣＮＮ）及び時間（１７：４４：３２）が示される。ＣＮＮで現在放送されているプログラムについての有効なプログラム情報が利用可能であるので、プログラム情報（ユーザテキスト情報）７０６は、上記残存部分７０４に示される。図７ｂの例では、ユーザテキスト情報は“現在イラクでのＵＳの軍隊についてのリポートが放送されている．．．”である。
【００５４】
このように、図７ａ及び図７ｂの実施形態によれば、ユーザがチャンネルを切り替える際、又はユーザが情報を要求する夫々の要求ボタンを操作する際、予め設定されたメッセージが随時表示される。しかしながら、利用可能なプログラム情報がないなら、予め設定されたメッセージは、予め設定された、例えば、短い時間帯の後に消滅する。一方で、プログラム情報が利用可能であるなら、その際、プログラム情報７０６は、予め設定されたメッセージ７００の残存領域７０４に表示され、予め設定されたメッセージ及びプログラム情報（ユーザテキスト情報）の表示時間は、プログラム情報の量及び／又は複雑さに依存する。
【００５５】
すなわち、利用可能なプログラム情報がないなら、その際ヘッダーラインを有する事実上空のボックスが表示され、プログラム情報が利用可能であるなら、その際プログラム情報はボックスで表示される。
【００５６】
以下の説明は、当業者にとって上記の理解を助けるためのものとなるだろう。
【００５７】
チャンネルを変える上で、デジタルテレビ受信機構は、現在のチャンネルの出来事に対する説明を含む情報ボックス（短い情報）を表示してもよい。利用可能な情報がないか、又はわずかなものであり場合、この情報は、煩わしいものとなるかもしれない。
従って、上述したように、情報表示のタイムアウト、すなわち表示時間は、表示される情報量に依存して選択されてもよい。
【００５８】
このように、予め設定されたメッセージが表示されるので、消費者は利用可能な情報がないことに気付く。
【００５９】
ユーザテキスト情報が短いなら、放送しているテレビプログラムは、短い時間帯のみ阻害される。
【図１】
2010523069.tif 000003
【図２】
2010523069.tif 000004
【図３】
2010523069.tif 000005
【図４】
2010523069.tif 000006
【図５】
2010523069.tif 000007
【図６】
2010523069.tif 000008
【図７Ａ】
2010523069.tif 000009
【図７Ｂ】
2010523069.tif 000010
【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
ユーザテキスト情報に基づく情報を提供するステップと、
前記ユーザテキスト情報が空又は無効なら画面上に予め設定されたメッセージを表示し、
さもなければ、前記画面上に表示時間の間前記ユーザテキスト情報を表示するステップと、
を含み、
前記表示時間は、前記ユーザテキスト情報の量及び／又は複雑さに依存する、画面上で情報を表示する方法。
【請求項２】
前記ユーザテキスト情報の量は、前記ユーザテキスト情報の複数の文字又は単語を決定することによって決定される、請求項１に記載の方法。
【請求項３】
前記ユーザテキスト情報の複雑さは、前記ユーザテキスト情報を表示するために必要な複数のライン及び／又は複数の画素を決定することによって決定される、請求項１に記載の方法。
【請求項４】
前記表示時間は、予め設定された時間帯と、前記ユーザテキスト情報の量及び／又は複雑さに依存する可変時間帯と、を加えることによって決定される、請求項１〜３のいずれか１項に記載の方法。
【請求項５】
前記可変時間帯は、タイムファクター及び前記文字数を乗ずることによって決定される、請求項４に記載の方法。
【請求項６】
前記予め設定されたメッセージは、前記予め設定された時間帯に正確に表示される、請求項４に記載の方法。
【請求項７】
前記画面上で現在表示されているテレビプログラムが決定され、
前記情報は、前記テレビプログラムを記述している、請求項１〜６のいずれか１項に記載の方法。
【請求項８】
前記文字数が予め設定された閾値以下であるなら、前記表示時間は、予め設定された時間帯にセットされ、
前記文字数が前記予め設定された閾値以上であるなら、表示時間は、前記予め設定された時間帯と、前記文字数及び予め設定されたタイムファクターの積と、を加えることによって決定される、請求項２又は３に記載の方法。
【請求項９】
前記予め設定されたメッセージは、ヘッダーライン及び残存部分を有するボックスを含み、
前記ヘッダーラインは、技術情報を表示するために利用される、請求項１〜８のいずれか１項に記載の方法。
【請求項１０】
前記ユーザテキスト情報が、空又は無効でないなら、前記予め設定されたメッセージが前記ユーザテキスト情報と共に表示され、
前記ユーザテキスト情報は、前記残存部分に表示される、請求項９に記載の方法。
【請求項１１】
前記予め設定されたメッセージ及び／又は前記ユーザテキスト情報は、ボックスの中に又はボックスとして表示され、
前記ボックスのサイズは、前記予め設定されたメッセージ及びユーザテキスト情報夫々の前記量及び／又は複雑さに依存する、請求項１〜１０のいずれか１項に記載の方法。
【請求項１２】
前記予め設定されたメッセージは、画像及び／又はテキストメッセージに対応する、請求項１〜１１のいずれか１項に記載の方法。
【請求項１３】
前記画面は、テレビ画面である、請求項１〜１２のいずれか１項に記載の方法。
【請求項１４】
前記ユーザテキスト情報は、電子プログラムガイド（ＥＰＧ）情報の短い情報又は長い情報に対応する、請求項１〜１３のいずれか１項に記載の方法。
【請求項１５】
テレビプログラム及び／又はユーザ情報を表示するように構成される画面と、
前記テレビプログラム又はテレビジョン受像機の操作メニューに関するユーザテキスト情報を受信するように構成される情報受信機構と、
前記ユーザテキスト情報が空又は無効であるなら、前記画面上に予め設定されたメッセージを表示し、
さもなければ、前記画面上に表示時間の間前記ユーザテキスト情報を表示し、
前記画面を制御するように構成される画面制御機構と、
を備え、
前記表示時間は、前記情報の量及び／又は複雑さに依存する、テレビジョン受像機。
【請求項１６】
前記ユーザテキスト情報は、家庭用電化製品制御（ＣＥＣ）基準に従い、前記情報受信機構に提供される、請求項１５に記載のテレビジョン受像機。
【請求項１７】
前記テレビプログラムを切り替えるように構成される切替機構を備え、
前記テレビプログラムに切り替えることで、前記情報受信機構は前記ユーザテキスト情報を受信する、請求項１５又は１６に記載のテレビジョン受像機。
【請求項１８】
テレビプログラムにチューニングするように構成されるテレビチューニング機構と、
テレビプログラム又は操作メニューに関する情報を受信するように構成される情報受信機構と、
前記情報受信機構によって受信される情報がないか又は無効であるなら、前記テレビジョン受像機の画面上に予め設定されたメッセージを表示し、
さもなければ、前記画面上に前記情報を表示時間の間表示し、
テレビジョン受像機の出力信号を生成するように構成される信号処理機構と、
を備え、
前記表示時間は、前記情報の量及び／又は複雑さに依存する、装置。
【請求項１９】
前記テレビプログラムを切り替えるように構成される切替機構を備え、
前記テレビプログラムに切り替えることで、前記情報受信機構が前記情報を受信し、前記出力信号が前記情報を前記画面上に表示する、請求項１８に記載の装置。
【請求項２０】
切り替えることで、前記情報受信機構は、外部サーバから前記情報を要求及び受信する、請求項１９に記載の装置。
【請求項２１】
ユーザテキスト情報が空又は無効であるなら、前記画面上に予め設定されたメッセージを表示し、
さもなければ、前記画面上に前記ユーザテキスト情報を表示時間の間表示するステップを含み、
前記表示時間は、前記情報の量及び／又は複雑さに依存する、情報を表示する方法を、コンピュータに実行させるコンピュータプログラム命令を含む、コンピュータ可読媒体。
【請求項２２】
情報がユーザテキスト情報を含まないなら、前記画面上に予め設定されたメッセージを表示し、
さもなければ、前記画面上に前記ユーザテキスト情報を表示時間の間表示するステップを含み、
前記表示時間は、前記ユーザテキスト情報の量及び／又は複雑さに依存し、
画面上に、前記ユーザテキスト情報を含んでいたり、又は含んでいなかったりする情報を表示する方法。
【請求項２３】
情報がユーザテキスト情報を含まないなら、前記画面上に予め設定されたメッセージを表示し、
さもなければ、前記画面上に前記ユーザテキスト情報を所定時間帯表示するステップを含み、
前記所定時間帯は、前記ユーザテキスト情報の量及び／又は複雑さに依存し、
テレビ画面上に、サーバから受信され、前記テレビ画面上にユーザによって視聴されるテレビプログラムに関連する情報を表示する方法。
【請求項２４】
情報がユーザテキスト情報を含まないなら、画面上に予め設定されたメッセージを時間帯Ａに表示し、
さもなければ、前記画面上に前記ユーザテキスト情報を表示時間の間表示するステップを含み、
前記表示時間は、前記時間帯Ａと前記ユーザテキスト情報及び予め設定されたタイムファクターの積とを加えることによって決定され、
画面上に、前記ユーザテキスト情報を含んでいたり、又は含んでいなかったりする情報を表示する方法。
【請求項２５】
ユーザテキスト情報を含んでいたり、又は含んでいなかったりする情報を表示するように構成される画面と、
前記情報がユーザテキスト情報を含まないなら、前記画面上に予め設定されたメッセージを表示し、
さもなければ、前記画面上に前記ユーザテキスト情報を表示時間の間表示し、
前記画面を制御するように構成される画面制御機構と、
を備え、
前記表示時間は、前記ユーザテキスト情報の量及び／又は複雑さに依存する、テレビジョン受像機。
【請求項２６】
少なくとも一つのテレビプログラムに関する情報を提供するように構成されるサーバと、
テレビプログラムにチューニングするように構成されるテレビチューニング機構と、
前記サーバから前記テレビプログラムに関する情報を受信するように構成される情報受信機構と、
前記情報受信機構によって受信される情報がないか又は無効であるなら、前記テレビジョン受像機の画面上に予め設定されたメッセージを表示し、
さもなければ、前記画面上に前記情報を表示時間の間表示する、出力信号を生成するように構成される信号処理機構と、
を備え
前記表示時間は、前記ユーザテキスト情報の量及び／又は複雑さに依存する、システム
【国際調査報告】
2010523069.tif 000011
2010523069.tif 000012